(57)【要約】      （修正有）【課題】防水性及び耐久性に優れ、組立てが容易で、利用範囲も広い、低価格のＬＥＤ発光装置を提供する。【解決手段】ＬＥＤ２２に防水保護カバー２３を取り付けて成るＬＥＤランプ２０を複数個共通の給電線２１に接続して、１組のＬＥＤランプモジュールを形成し、ＬＥＤランプモジュールを、それらのＬＥＤランプ２０の先端部分を嵌め入れ得る複数の孔１１を明けた所望の形状の基盤プレート１０に取り付けて成る防水保護カバー２３は、半軟質のＰＶＣにより作製された中空な略円錐台形状の部材とし、その第１開口端２３１よりも広径の第２開口端２３２からＬＥＤ２２を挿入し、当該ＬＥＤの先端部分だけが第１開口端２３１を通じて外側へ突出するよう構成される。【選択図】図１
0003110114.tif 000002
【実用新案登録請求の範囲】
【請求項１】
所望の形状の基盤プレート（１０）上に複数のＬＥＤ（２２）を所望の形状に配列して成るＬＥＤ発光装置であって、
各ＬＥＤ（２２）には、その給電端子部分をカバーし、先端部分を露出させる防水保護カバー（２３）を取り付けることにより、ＬＥＤランプ（２０）を形成し、
それら複数のＬＥＤランプ（２０）を共通の給電線（２１）に接続することにより、少なくとも１組のＬＥＤランプモジュールを形成し、
基盤プレート（１０）には、上記複数のＬＥＤランプ（２０）の先端部分を嵌め入れる複数の孔（１１）を所望の形状に沿って明け、
上記基盤プレート（１０）の片側の面に、上記少なくとも１組のＬＥＤランプモジュールを、各ＬＥＤランプ（２０）の先端部分が基盤プレートの上記複数の孔（１１）に嵌め入れられた状態で取り付けて成ること、
を特徴とする防水型ＬＥＤ発光装置。
【請求項２】
上記基盤プレート（１０）が、広告看板、屋号看板、帯状物体、文字状物体、模様物体、球状物体、板状物体、規則形状物体又は不規則形状物体のうちから選ばれた何れか一種であることを特徴とする請求項１に記載の防水型ＬＥＤ発光装置。
【請求項３】
上記防水保護カバー（２３）が、中空な略円錐台形状であり、その第１開口端（２３１）よりも広径の第２開口端（２３２）からＬＥＤ（２２）が挿入され、当該ＬＥＤの先端部分だけが第１開口端（２３１）を通じて外側へ突出するよう構成されたことを特徴とする請求項１に記載の防水型ＬＥＤ発光装置。
【請求項４】
上記防水保護カバー（２３）が、ＬＥＤ（２２）の底部と給電端子部分をカバーし、保護するよう構成されたことを特徴とする請求項１に記載の防水型ＬＥＤ発光装置。
【請求項５】
上記防水保護カバー（２３）の材質がポリ塩化ビニルであることを特徴とする請求項１ないし４のうちいずれか一項に記載の防水型ＬＥＤ発光装置。
【請求項６】
上記基盤プレート（１０）の背後に反射板（４０）を設け、基盤プレート（１０）と反射板（４０）の間に給電線（２１）を配設したことを特徴とする請求項１に記載の防水型ＬＥＤ発光装置。
【請求項７】
上記基盤プレート（１０）と導光素子を組み合わせて用い、基盤プレート（１０）と導光素子の間に給電線（２１）を配設したことを特徴とする請求項１に記載の防水型ＬＥＤ発光装置。
【請求項８】
上記導光素子が透明材料であることを特徴とする請求項７に記載の防水型ＬＥＤ発光装置。
【請求項９】
上記基盤プレート（１０）が導光板であることを特徴とする請求項１に記載の防水型ＬＥＤ発光装置。
【請求項１０】
上記防水保護カバー（２３）の周壁（２３３）の軸方向断面が内側へ向けて凹んだ円弧状であることを特徴とする請求項１に記載の防水型ＬＥＤ発光装置。
【請求項１１】
基盤プレート（１０）に明けた上記孔（１１）の直径が、上記防水保護カバー（２３）の第１開口端（２３１）の外径より大きく、第２開口端（２３２）の外径より小さいことを特徴とする請求項１０に記載の防水型ＬＥＤ発光装置。
【考案の詳細な説明】
【技術分野】
【０００１】
本考案は、防水機能を有するＬＥＤ発光装置に係り、特に、複数個のＬＥＤ（light emitting diode）ランプを連ねて少なくとも１組のランプモジュールを形成し、これを基盤プレートに取り付けて、屋号看板、広告看板或いは照明装飾等を構成したものであり、防水機能を有し、簡単に破損することがなく、組立ても容易な防水型ＬＥＤ発光装置に関するものである。
【背景技術】
【０００２】
図７には、伝統的な広告看板の一例が示されている。それは看板１の内部に蛍光灯等のランプ２を設け、ランプ２の光源を利用して看板１全体を発光させるようにしたものである。ランプ２は、通常、或る一定期間使用すると焼き切れてしまい、看板の設置場所等によっては交換も容易ではないことから、発光していない看板がそのまま放置されているのを見かけることもしばしばである。色彩の変化と輝度を増加させるため、チューブ状の管に不活性ガス（希ガス）を充填したランプも提供されており、当該チューブ状ランプは焼結により所望のデザインや文字を形成することができ、これに通電すると光を発生し、輝度も充分ではあるが、１本のランプからは単一色しか発生させることができないという問題がある。
【０００３】
一方、近年多くの分野で利用されるようになった発光ＬＥＤは、価格も安く、省エネ効果に優れ、使用寿命も長い等々のメリットがあるため、この発光ＬＥＤを利用して広告看板や屋号看板等が製作されるようになってきた。
図８には、発光ＬＥＤ３を利用して広告看板や屋号看板等を作製する状態が示されている。この場合、発光ＬＥＤ３を電気回路板４上に半田付けし、更にその電気回路板４を箱体５内に組み付けるようにする。箱体５の前面には色付きの蓋を設けたり、或いは蓋で覆わずにそのままで、広告看板或いは屋号看板等として用いるようにしている。
しかし、発光ＬＥＤを使用したこの種の広告看板或いは屋号看板の製造工程は非常に煩雑で、ユーザーの要求するデザイン或いは文字等に対応するためには、電気回路板や発光ＬＥＤをそのつど個別に設計しなければならないので、製作費用は相当高額にならざるをえない。
【０００４】
また、発光ＬＥＤで製作した広告看板或いは屋号看板は、一般に防水機能が備わっていない。通常、広告看板や屋号看板は屋外の目立つ場所に置かれており、防水機能がない場合には、雨が降ってくると屋内に取り込んだり、電源を切ったり、或いは外側に雨水避けの屋根や壁を設けたり、シートで覆ったりするなどの必要がある。そのため、現状では、発光ＬＥＤを利用した広告看板或いは屋号看板はそれほど普及していない。
【考案の開示】
【考案が解決しようとする課題】
【０００５】
本考案者は、上述の如き発光型広告や看板の現状における不便さや欠点を解決するため鋭意研究を重ねた結果、本考案に係る防水型ＬＥＤ発光装置を完成した。
本考案の第１の目的は、防水性及び耐久性に優れたＬＥＤ発光装置を提供することにある。
本考案の第２の目的は、組立て、製造が容易で、低価格のＬＥＤ発光装置を提供することにある。
本考案の第３の目的は、多種多様の図形、文字、形状、色彩を有する広告看板、屋号看板、ランプ管、照明具或いは照明装飾、等々、多方面に利用できる応用範囲の広いＬＥＤ発光装置を提供することにある。
【課題を解決するための手段】
【０００６】
上記の目的は、
所望の形状の基盤プレート上に複数のＬＥＤを所望の形状に配列して成るＬＥＤ発光装置であって、
各ＬＥＤには、その給電端子部分をカバーし、先端部分を露出させる防水保護カバーを取り付けることにより、ＬＥＤランプを形成し、
それら複数のＬＥＤランプを共通の給電線に接続することにより、少なくとも１組のＬＥＤランプモジュールを形成し、
基盤プレートには、上記複数のＬＥＤランプの先端部分を嵌め入れる複数の孔を所望の形状に沿って明け、
上記基盤プレートの片側の面に、上記少なくとも１組のＬＥＤランプモジュールを、各ＬＥＤランプの先端部分が基盤プレートの上記複数の孔に嵌め入れられた状態で取り付けて成ること、
を特徴とする防水型ＬＥＤ発光装置によって達成できる。
【０００７】
上記基盤プレートは、必要に応じて、広告看板、屋号看板、帯状物体、文字状物体、模様物体、球状物体、板状物体、規則形状物体又は不規則形状物体のうちから選ばれた何れか一種とすることが可能である。
【０００８】
上記防水保護カバーが、中空な略円錐台形状であり、その第１開口端よりも広径の第２開口端からＬＥＤが挿入され、当該ＬＥＤの先端部分だけが第１開口端を通じて外側へ突出するよう構成することが推奨される。
【０００９】
上記防水保護カバーが、ＬＥＤの底部と給電端子部分をカバーし、保護するよう構成することが推奨される。
なお、上記防水保護カバーの材質として好適なものの一つとしては、ポリ塩化ビニル（以下「ＰＶＣ」と記す。）を挙げることができる。
【００１０】
上記基盤プレートの背後に反射板を設け、基盤プレートと反射板の間に給電線を配設することも推奨される。
【００１１】
また、上記基盤プレートと導光素子を組み合わせて用い、基盤プレートと導光素子の間に給電線を配設することも推奨される。
その場合、上記導光素子として透明材料を用いることが望ましい。
また、上記基盤プレートを導光板とすることも推奨される。
【００１２】
上記防水保護カバーは、その周壁の軸方向断面が内側へ向けて凹んだ円弧状に形成することが望ましい。
その場合において、基盤プレートに明けた上記孔の直径は、上記防水保護カバーの第１開口端の外径より大きく、第２開口端の外径より小さくすることが望ましい。
【考案の効果】
【００１３】
上記の如き本考案に係る防水型ＬＥＤ発光装置の構造によれば、次のような効果がある。
使用する複数のＬＥＤには、すべてＰＶＣ等で作製した防水保護カバーが取り付けられるので、そのようなＬＥＤランプを基盤プレートの各孔に嵌め入れると、防水保護カバーの外周面が基盤プレートの孔の内周面に密着し、良好なシール性が確保されることにより、優れた防水効果が得られる。
また、外部から衝撃が加えられたときにも、防水保護カバーによって衝撃が吸収され、ＬＥＤの破損が防止される。
【００１４】
複数のＬＥＤランプを共通の給電線に接続して成るＬＥＤランプモジュールを予め作製し、そのＬＥＤランプを基盤プレートの各孔にそれぞれ嵌め込んでゆくことによりＬＥＤ発光装置が完成するので、組立て作業を簡単かつ迅速に行うことができ、製造コストを低減化し、低価格のＬＥＤ発光装置を提供できる。
【００１５】
基盤プレートは、様々な形状、材質のものを用いることができ、これに明ける孔の配列も任意に選択可能であるので、幅広いニーズに対応することができる。  基盤プレートを、例えば、任意の図形、文字形状の広告看板、屋号看板、照明具或いは照明装飾、等々とし、それらに明ける孔も任意の図形、文字に沿って明けることができ、ＬＥＤも様々な色のものを任意に選択可能であるので、多種多様の需要に対応することが可能である。
また、光源がＬＥＤであるので、従来のネオン灯や蛍光灯に比べて節電効果が高く、寿命も長く、安価である。
【００１６】
更にまた、上記基盤プレートに灯光を反射する反射板を結合することで、ＬＥＤランプの光を反射させて更に明るくすることができ、基盤プレートと当該反射板の間に給電線を配設することにより、外観向上及び省スペースの効果を得ることも可能となる。
また、当該基盤プレートと導光素子を結合させて、給電線を当該基盤プレートと導光素子の間に位置させることもでき、ＬＥＤランプの光を導光素子に導入してＬＥＤランプモジュール構造全体を更に明るくすることも可能である。
【考案を実施するための最良の形態】
【００１７】
以下、添付図面を参照して本考案の好適な実施例を詳細に説明する。
但し、添付図面は、あくまで本考案の理解のための参考用もしくは説明用としてのみ利用すべきもので、実用新案登録請求の範囲に記載した本考案の構成に何ら制限を加えるものではない。
【００１８】
図１は、本考案に係る防水型ＬＥＤ発光装置で用いるための１個のＬＥＤランプの一実施例を示す外観斜視図であり、
図２は、図１に示すＬＥＤランプを複数個接続して成るＬＥＤランプモジュールとこれを取り付けるための基盤プレートとから構成される本考案に係る防水型ＬＥＤ発光装置の第１実施例を示す分解斜視図であり、
図３は、本考案に係る防水型ＬＥＤ発光装置の第２実施例を示す分解斜視図であり、
図４は、本考案に係る防水型ＬＥＤ発光装置の第３実施例を示す外観斜視図であり、
図５は、本考案に係る防水型ＬＥＤ発光装置の第４実施例を示す外観斜視図であり、
図６は、本考案に係る防水型ＬＥＤ発光装置の第５実施例を示す外観斜視図である。
また、これらの図中、１０は基盤プレート、１１は孔、１２は凹部、２０はＬＥＤランプ、２１は給電線、２２はＬＥＤ、２３は防水保護カバー、２３１は第１開口端、２３２は第２開口端、２３３は周壁、３０は制御回路、４０は反射板である。
【００１９】
図１には、本考案に従って作製されるＬＥＤランプモジュールのうちの単一のＬＥＤランプの立体斜視図が示してあり、図２には、図１に示すＬＥＤランプを複数個共通の給電線で接続して成るＬＥＤランプモジュールと、これを取り付けるための基盤プレート１０とから構成される本考案の防水型ＬＥＤ発光装置の第１実施例の分解斜視図が示してある。
【００２０】
図２に示す如く、基盤プレート１０は幾何学形状をなしており、基盤プレート１０上には複数個の孔１１が明けてある。当該基盤プレート１０は透明材料、不透明材料、或いは半透明材料のいずれとすることも可能である。
本考案の基盤プレート１０の応用例としては、広告看板、屋号看板、帯状物体、文字状物体、板状物体、規則形状物体或いは不規則形状物体、等々があり、その具体的な使用例の幾つかについては図２〜図６に示されているが、それらは実用新案登録請求の範囲に記載した本考案の範囲を限定するものではない。
【００２１】
複数個のＬＥＤランプ２０は、共通の一本の給電線２１により相互に接続されて、１組のＬＥＤランプモジュールを形成し、各ＬＥＤランプ２０は上記基盤プレート１０上のそれぞれの孔１１に嵌め込まれて固定される。上記１組のＬＥＤランプモジュール中の複数のＬＥＤランプ２０の色は、多種の色を取り混ぜて使用して変化をつけたり、或いはすべてを単一色とすることも可能である。
また、２組以上のＬＥＤランプモジュールを基盤プレート１０に取り付けるときは、各組ごとに異なった色とすることも可能である。
なお、給電線２１は、必要に応じてその長さを調整できる。
【００２２】
図１に示す如く、ＬＥＤランプ２０は、ＬＥＤ２２と、当該ＬＥＤ２２を包む防水保護カバー２３とから構成され、当該防水保護カバー２３は、ＬＥＤ２２の底部と給電線２１を覆って、防水効果と、断線を防ぐ役割を果たすようになっている。
上記防水保護カバー２３は、第１開口端２３１と第２開口端２３２を有し、ＬＥＤ２２は当該第１開口端２３１の側に密着した状態で収容されている。当該ＬＥＤ２２の先端部分は防水保護カバー２３の第１開口端２３１より外側へ突出しており、これによりＬＥＤ２２の輝度が防水保護カバー２３によって低下しないようになっている。
【００２３】
ＬＥＤランプ２０を基盤プレート１０の孔１１に容易に挿入、固定できるようにするため、防水保護カバー２３は半軟質のＰＶＣ材料等で作製することが望ましい。そうすることにより、防水保護カバー２３が半軟質のＰＶＣ材等であることによる弾性作用と、第１開口端２３１の口径が第２開口端２３２の口径より小さい中空円錐台形状を有することと、そして更に、防水保護カバー２３の周壁２３３の軸方向断面が内側へ向けて凹んだ円弧形状であることにより、孔１１に対する安定した固定状態が確保されるものである。
以上の構成により、本考案のＬＥＤ発光装置は、一般のネオン灯に比べて、節電効果がある、長寿命である、破損しにくい、防水機能がある、価格が安い、組立てが簡単で迅速に行われ得る、色の変化も豊富である、等々の多くの利点が得られるものである。
【００２４】
なお、ＬＥＤ２２に防水保護カバー２３を装着してから、それら複数のＬＥＤを給電線２１で接続するか、それとも、複数のＬＥＤ２２を給電線２１で接続してから、各ＬＥＤに防水保護カバー２３を装着するかは自由であり、作業効率等を考慮して選択する。
【００２５】
図２には、前記の通り、本考案に係るＬＥＤ発光装置の第１実施例が分解斜視図により示されている。
この実施例におけるＬＥＤ発光装置は、基盤プレート１０を広告看板（或いは屋号看板）として構成し、当該看板上に複数個の孔１１を明け、且つその孔１１によって英語で「太陽」を意味する『ＳＵＮ』の形状を表すように構成してある。ＬＥＤランプ２０は、それぞれ孔１１に挿入され、固定される。前述の通り、防水保護カバー２３の弾性作用により、ＬＥＤランプ２０が孔１１内に安定的に固定される。防水保護カバー２３の第１開口端２３１の外径は、第２開口端２３２の外径より小さいため、防水保護カバー２３の第１開口端２３１を基盤プレート１０の孔１１内に止まるまで挿入する。このため、孔１１の直径は、防水保護カバー２３の第１開口端２３１の外径と、第２開口端２３２の外径との間の値でなければならない。
【００２６】
組立て完了後、電源に接続すると、制御装置３０により、複数のＬＥＤランプ２０が間歇的に点滅、或いは連続発光、或いは走馬灯のように点滅、等々するように制御される。
この実施例においては、基盤プレート１０上に複数の孔１１により『ＳＵＮ』の文字を表したが、文字ではなく各種模様をデザインしてもよく、或いは中国文字形状、図形形状、等々であってもよい。
【００２７】
図３には、本考案に係るＬＥＤ発光装置の第２実施例が分解斜視図により示されている。
この実施例における帯状の基盤プレート１０は透明で、一本の凹部１２が形成され、その凹部１２の底部にＬＥＤランプ２０を挿入して固定するための複数の孔１１が明けられている。
当該基盤プレート１０には、灯光を反射する反射板４０を結合させることができ、給電線２１を基盤プレート１０と反射板４０との間のスペースに配置することができる。当該反射板４０は、平板状、或いは帯状の基盤プレート１０と同様の形状とし、給電線２１とＬＥＤランプ２１の接続端子側の突出した部分を上記スペースに収納できるように構成される。
給電線２１の両端を電源に接続すると、制御装置３０により、ＬＥＤランプ２０が間歇的に点滅、或いは連続発光、或いは走馬灯のように点滅、等々制御され、その際、反射板４０がＬＥＤランプ２０の光線を反射して、本考案の広告看板等を更に明るくすることができる。
【００２８】
この実施例から分かるように、基盤プレート１０上に孔１１を直接明け、それらの孔にＬＥＤランプモジュールのＬＥＤランプ２０を挿入、固定するだけで、給電線２１は凹部１２内に収容され、反射板４０を容易に取り付けることができるので、迅速な組立作業が可能になる。
基盤プレート１０を透明材質の導光素子と結合させ、導光素子がＬＥＤランプ２０の光を基盤プレート全体に伝達するよう構成することによって、更に明るくすることができる。また、同様の目的を達成するために、基盤プレートの形状制限を受けない範囲で、当該基盤プレート１０自体を導光性の材質で作製することも推奨される。
【００２９】
図４には、本考案に係るＬＥＤ発光装置の第３実施例が、その外観斜視図により示されている。
この実施例は、板状のＬＥＤ発光装置であり、平板状の基盤プレート１０上に複数の異なる色又は同一色のＬＥＤランプ２０を取り付けたものである。
このため、造形壁照明、天井照明、隠しランプ、展示ランプ、等々として用いるのに適しており、一般の伝統的電球による壁照明に比べて、組立てが早く、色合いの変化にも広く対応できるという利点がある。
【００３０】
図５は、本考案に係るＬＥＤ発光装置の第４実施例を示す外観斜視図である。
この実施例は、球状のＬＥＤ発光装置であり、球状の基盤プレート１０上に複数の異なる色のＬＥＤランプ２０を取り付けたものである。
形状が球形であるため、ダンスフロアの照明、家庭内のムード照明、展示ランプ、道端の案内灯等への使用に適しており、一般の伝統的照明器具に比べて、組立てが早く、色の変化も豊富であるという利点がある。
【００３１】
図６は、本考案に係るＬＥＤ発光装置の第５実施例を示す外観斜視図である。
この実施例のＬＥＤ発光装置は、主に動態展示用ランプを提供することを目的とするもので、例えば自動車の外面に取り付けて使用するのに適している。当該ＬＥＤ発光装置は、同じ色或いは異なる色のＬＥＤランプ２０を基盤プレート１０上に取り付けて、動態効果が得られるように構成したものである。複数のＬＥＤランプ２０は、例えば大きなＬＥＤランプ２０から次第に小さいＬＥＤランプ２０に順番に並べて基盤プレート１０上に取り付け、多種多様の自動車装飾の需要に供し得るようにすることができる。
【００３２】
なお、本考案は上記実施例に限定されるものではなく、その目的及び実用新案登録請求の範囲内において、上記の説明から当業者が容易に想到し得るすべての変更実施例を包摂するものである。
【産業上の利用可能性】
【００３３】
本考案は、以上の如く構成されるので、本考案に係る防水型ＬＥＤ発光装置によるときは、防水性能に優れ、従来のネオン灯等に比べて節電効果や、長寿命、破損しにくい等々の点においても優れ、組立てが簡単で早く、低価格で提供でき、色の変化も豊富である、等々、多くの優れた作用効果が得られるものであり、従って、本考案は産業上多大の利用可能性を有するものである。
【図面の簡単な説明】
【００３４】
【図１】本考案に係る防水型ＬＥＤ発光装置で用いるための１個のＬＥＤランプの一実施例を示す外観斜視図である。
【図２】図１に示すＬＥＤランプを複数個接続して成るＬＥＤランプモジュールとこれを取り付けるための基盤プレートとから構成される本考案に係る防水型ＬＥＤ発光装置の第１実施例を示す分解斜視図である。
【図３】本考案に係る防水型ＬＥＤ発光装置の第２実施例を示す分解斜視図である。
【図４】本考案に係る防水型ＬＥＤ発光装置の第３実施例を示す外観斜視図である。
【図５】本考案に係る防水型ＬＥＤ発光装置の第４実施例を示す外観斜視図である。
【図６】本考案に係る防水型ＬＥＤ発光装置の第５実施例を示す外観斜視図である。
【図７】光源として蛍光灯を用いた従来公知の広告看板の一例を示す説明図である。
【図８】光源としてＬＥＤを用いた従来公知の広告看板の一例を示す説明図である。
【符号の説明】
【００３５】
１０    基盤プレート
１１    孔
１２    凹部
２０    ＬＥＤランプ
２１    給電線
２２    ＬＥＤ
２３    防水保護カバー
２３１  第１開口端
２３２  第２開口端
２３３  周壁
３０    制御回路
４０    反射板
【図１】
0003110114.tif 000003
【図２】
0003110114.tif 000004
【図３】
0003110114.tif 000005
【図４】
0003110114.tif 000006
【図５】
0003110114.tif 000007
【図６】
0003110114.tif 000008
【図７】
0003110114.tif 000009
【図８】
0003110114.tif 000010